(57)【要約】【課題】天板から水が浸入した場合でも、操作部カバーを必要とすることなく基板に搭載された電装部品の損傷を防止することができ、浸入した水を水槽部に確実に排水できる耐水性に優れた加湿装置を提供すること。【解決手段】加湿空気を発生させる加湿手段７と、加湿手段７に水を供給する水槽部６と、室内の空気を吸込口５から取り入れ加湿手段７を通過させて吹出口４より加湿空気として吹き出す送風手段８と、本体ケース１の天面部分を形成する操作部本体２を備えた加湿装置において、操作部本体２の周縁部に貫通孔２０を設けるとともに、本体ケース１の内部に操作部本体２の貫通孔２０から本体ケース１の中央部分を通らずに水槽部６へと連通する排水経路２１を設けることとした。【選択図】図５
2014238248.tif 000002
【特許請求の範囲】
【請求項１】
加湿空気を発生させる加湿手段と、前記加湿手段に水を供給する水槽部と、室内の空気を吸込口から取り入れ前記加湿手段を通過させて吹出口より加湿空気として吹き出す送風手段と、本体ケースの天面部分を形成する操作部本体を備えた加湿装置において、前記操作部本体の周縁部に貫通孔を設けるとともに、前記本体ケースの内部に前記操作部本体の貫通孔から前記本体ケースの中央部分を通らずに前記水槽部へと連通する排水経路を設けたことを特徴とする加湿装置。
【請求項２】
前記貫通孔は前記操作部本体の成型に伴い形成されるものであるとともに、前記排水経路は前記操作部本体の下方に配置されて前記送風手段を囲うように取り付ける送風ケースに形成したことを特徴とする請求項１記載の加湿装置。
【発明の詳細な説明】
【技術分野】
【０００１】
本発明は、室内の乾燥を防止するための加湿装置に係わり、特に、天板に設けた操作部に水をこぼしても加湿装置内部に搭載された基板などの電装部品が損傷しない構造に関するものである。
【背景技術】
【０００２】
特許文献１に示す従来の加湿装置では、取っ手の取り付け部に金型構造上の貫通孔（いわゆる食い切り孔）が形成されていた。そのため、給水タンクに水を補給する際に誤って外装ケースの天板に水をこぼしてしまうと、この開口から加湿装置内部に水が浸入してしまうことから、加湿装置内部に配置される基板や送風機、温風用ヒータ等の電装部品の方向に水が流れて損傷するのを防止するために仕切り板や防水壁などにより形成した操作部カバーが設けられていた。
【先行技術文献】
【特許文献】
【０００３】
【特許文献１】特開２００９−０３６４０１号公報
【発明の概要】
【発明が解決しようとする課題】
【０００４】
しかしながら、操作部カバーが設置されることにより、加湿装置内部において活用できる空間が操作部カバーの分狭くなってしまうため、送風経路の確保や部品の配置などの設計に制約ができてしまっている。逆に、送風経路の確保や部品の配置を自由に設計しようとした場合には操作部カバーの設置に必要な空間分だけ加湿装置の筐体サイズが大きくなってしまう。さらに、操作部カバーを別部品として設けていることにより部品点数および組立工数の増加となり、部品費が高くなってしまう。
【０００５】
また、電装部品は一般的に加湿装置の中央部分に集中して配置されており、特許文献１に示す仕切り板に設けた排水孔のように加湿装置の中央部分に排水する経路を形成している場合には浸入した水が電装部品に近づいてしまうため、電装部品に水が降りかかって損傷するリスクがある。
【０００６】
本発明は上記課題を解決するためのもので、天板から水が浸入した場合でも、操作部カバーを必要とすることなく基板に搭載された電装部品の損傷を防止することができ、浸入した水を水槽部に確実に排水できる耐水性に優れた加湿装置を提供することを目的とする。
【課題を解決するための手段】
【０００７】
本発明は、加湿空気を発生させる加湿手段と、前記加湿手段に水を供給する水槽部と、室内の空気を吸込口から取り入れ前記加湿手段を通過させて吹出口より加湿空気として吹き出す送風手段と、本体ケースの天面部分を形成する操作部本体を備えた加湿装置において、前記操作部本体の周縁部に貫通孔を設けるとともに、前記本体ケースの内部に前記操作部本体の貫通孔から前記本体ケースの中央部分を通らずに前記水槽部へと連通する排水経路を設けたことを特徴とする加湿装置に係わるものである。
【０００８】
また、前記貫通孔は前記操作部本体の成型に伴い形成されるものであるとともに、前記排水経路は前記操作部本体の下方に配置されて前記送風手段を囲うように取り付ける送風ケースに形成したことを特徴とする請求項１記載の加湿装置に係わるものである。
【発明の効果】
【０００９】
上述の構成にすることにより、操作部本体の周縁部に設けた貫通孔から浸入した水は本体ケース内部の周縁方向に流れるため、一般的には本体ケース内部の中央部分に配置される電装部品に近づけることなく排水経路に流して水槽部に排水できるので、電装部品の損傷を防止することができる。さらに、操作部カバーなどの設置を必要としないので、加湿装置の本体ケース内部の空間を広く活用することができる。
【図面の簡単な説明】
【００１０】
【図１】本発明の実施例を示す斜視図である。
【図２】本発明の実施例を示す縦断面構成図である。
【図３】本発明の実施例の分解斜視図である。
【図４】本発明の実施例の操作部本体を拡大した図である。
【図５】本発明の実施例の排水経路を示す断面拡大図である。
【発明を実施するための形態】
【００１１】
好適と考える本発明の最良の形態を、本発明の作用効果を示して簡単に説明する。
【００１２】
本発明の加湿装置は、貫通孔を操作部本体の周縁部に形成するとともに、この貫通孔から水槽部に連通する排水経路を設けるようにしたものである。つまり、水が浸入しても電装部品に降りかからない離れた位置に貫通孔を設け、さらに排水経路を伝って水槽部の方向に水が流れるようにしたのである。
【００１３】
これにより、誤って本体ケース天面に水がこぼれてしまったとしても操作部本体の周縁部から本体ケース内部に水が浸入するので、電装部品が集中して配置される本体ケース内部の中央部分には近づけずに周縁方向に水を流すことが可能となる。加えて、排水経路を設けたことで本体ケース内部の周縁方向に流れた水を中央部分には通さずに水槽部へ排水できる。したがって、わざわざ操作部カバーを設けて貫通孔を閉塞したり、あるいは電装部品に水が被らないように覆ったりする必要がなく、操作部カバーがなくとも電装部品の損傷を防止することができるのである。さらには、操作部カバーなどの別部品の設置を考える必要もないので、本体ケース内部の空間を広く活用することができる。
【００１４】
また、操作部本体を成型する上で形成されるのが避けられない貫通孔から水槽部へと連通する排水経路は送風ケースの一部分に形成するものであるため、新たに別部品の追加をする必要がない。
【実施例１】
【００１５】
以下、本発明の一実施例を図面により説明する。
【００１６】
図１は本発明における加湿装置の斜視図であり、１は樹脂材料からなる加湿装置の本体ケース、２は本体ケース１天面を構成する部品であり加湿装置の運転を操作するための操作部本体である。この操作部本体２には運転スイッチ等が配置されている操作部３と本体ケース１内で加湿された加湿空気を室内に排出するための吹出口４を設けている。また、本体ケース１側面には室内空気を本体ケース１内部に吸い込むための吸込口５を設けている。
【００１７】
図２は加湿装置の縦断面構成図であり、６は図示しない給水タンクから供給された水を一定量貯える水槽部、７は水槽部６内の水を吸水して湿潤する加湿手段としての気化フィルタである。８は送風手段としての送風機であり、モータ９とファン１０とにより構成されている。１１は吸込口５と気化フィルタ７の間に配置され、送風機８によって吸込口５から吸い込まれた空気を加熱する温風用ヒータである。これらの送風機８および温風用ヒータ１１は樹脂材料からなる送風ケース１２に取り付けられている。なお、この送風ケース１２は送風機８を囲うように取り付けるものであり、送風ケース１２を本体ケース１内に配置することによって吸込口５、温風用ヒータ１１、気化フィルタ７、送風機８、吹出口４からなる送風経路１３を本体ケース１内に形成しており、図２中の矢印で示すように送風経路１３内を空気が通過する。
【００１８】
図３は加湿装置の分解斜視図であり、操作プレート１４を貼り付けた操作部本体２には、持ち運び用のコ字型の取っ手１５、給水タンクの挿入口１６を塞ぐタンク挿入口フタ１７が取り付けられ、操作部本体２の直下には基板１８を配置している。タンク挿入口フタ１７は、操作部本体２の給水タンク挿入口１６側の周縁部に操作部本体２と一体成型された係合部１９に係着することで起伏自在になる。また、基板１８の下方には樹脂材料からなる送風ケース１２が配置されている。
【００１９】
図４は操作部本体２の一部を拡大した斜視図であり、操作部本体２の周縁部にあるタンク挿入口フタ１７の係合部１９の奥方向には、操作部本体２の成型時における食い切り構造により生ずる貫通孔としての食い切り孔２０を設けている。この食い切り孔２０は操作部本体２を垂直方向に貫通しており、食い切り孔２０の直下には図５に示すように送風ケース１２の上部に水を受け入れやすいように略箱形状に形成された排水経路２１が配置されている。この排水経路２１は本体ケース１内部の電装部品が配置されていない方向へと送風ケース１２表面を伝って水が流れる開口を設けており、送風ケース１２の表面を介して食い切り孔２０と水槽部６が連通している。
【００２０】
次に、上記構成からなる動作と作用について説明する。まず、図示しない給水タンクを給水タンク挿入口１６に挿入すると給水タンクから水槽部６に水が流れ出し、一定量の水が貯えられる。これにより、水槽部６に設置されている気化フィルタ７は毛細管現象により水槽部６の水を給水して湿潤する。
【００２１】
加湿装置を運転する際には、操作部３の運転スイッチを入れると送風機８が駆動を開始し、室内空気が吸込口５から本体ケース１内に吸い込まれ、気化フィルタ７を通過する際に加湿空気となり吹出口４から室内に排出される。その際、使用者により設定された設定湿度と図示しない湿度センサにより検知した検知湿度の差に応じて温風用ヒータ１１の通電や送風機８の回転数を制御して加湿運転が行われる。
【００２２】
給水タンクに水を補給する際、誤って本体ケース１天面に水をこぼしてしまった場合について説明する。本体ケース１天面にこぼれた水は操作プレート１４表面を伝って操作部本体２の周縁部に流れ、タンク挿入口フタ１７の係合部１９の奥方向にある食い切り孔２０より浸入することになる。浸入した水は図５中の矢印のように食い切り孔２０の直下に配置された排水経路２１に流れ込み、排水経路２１の開口から送風ケース１２の表面を伝って水槽部６へと排水される。
【００２３】
これにより、操作部本体２の周縁部からしか水は浸入できないので、操作部本体２の直下に配置される基板１８および本体ケース１の中央部分に配置される送風機８のモータ９や温風用ヒータ１１といった電装部品の直上に水が浸入するのを回避できる。さらに、本体ケース１内部の周縁方向に流れた水は排水経路２１によって電装部品には近づけることなく水槽部６へ排水することができるため、電装部品に水が降りかかるリスクが低減され、確実に電装部品の損傷を防止することができるのである。
【００２４】
さらに、本体ケース１内部に操作部カバーなどの設置を考えなくとも良いので、その分だけ空間を広く活用することができるようになり、例えば広くなった空間に送風ケース１２の寸法を拡大することで本体ケース１内に取り入れる空気量を増大させて、加湿性能の向上を図るといったことが可能となる。
【００２５】
また、排水経路２１は送風ケース１２の一部分に形成しているだけであり、新たに別部品の追加を必要とせず、また従来のように操作部カバーのような部品を設ける必要もないため組立性に優れる。
【符号の説明】
【００２６】
１    本体ケース
２    操作部本体
４    吹出口
５    吸込口
６    水槽部
７    気化フィルタ（加湿手段）
８    送風機（送風手段）
１２    送風ケース
２０    食い切り孔（貫通孔）
２１    排水経路
【図１】
2014238248.tif 000003
【図２】
2014238248.tif 000004
【図３】
2014238248.tif 000005
【図４】
2014238248.tif 000006
【図５】
2014238248.tif 000007